(57)【要約】【課題】  組合せ式圧力釈放工学枕の提供。【解決手段】  枕本体と少なくとも一つの挿着部品を具え、枕本体の表面に頭頸部工学に符合する曲線があり、少なくとも一側に挿着溝が開設され、該挿着部品は挿着溝中に挿着されるか枕本体下方に置かれる。使用時に使用者は、頭、頸部のサイズにより枕本体の二側上に頭を乗せることができる。枕本体の挿着溝への挿着部品の着脱自在な構造により、挿着溝と挿着部品を相互に組み合わせるか分離させることができ、枕本体の二側に多種類の高さ（少なくとも６種類）に調整可能な機能を具備させられ、全体として異なる頭、頸部の形状により異なる快適圧力釈放曲線を形成でき、人体の頭、頸部の曲線工学に符合し、頸椎の支持が高過ぎるか低過ぎることにより形成される頸椎傷害を防止できる。【選択図】        図１
0003108760.tif 000002
【実用新案登録請求の範囲】
【請求項１】
組合せ式圧力釈放工学枕において、
表面に頭、頸部工学に符合する曲線が設けられ、少なくとも一側に挿着溝が設けられた枕本体と、
該装着溝中に収容されるか枕本体の下方に置かれる少なくとも一つの挿着部品と、
を具え、使用時に使用者が頭、頸部のサイズに応じて頭、頸部を枕本体の二側の上に乗せることができ、枕本体の挿着溝と挿着部品の分解組合せ可能な構造を利用し、枕本体の二側が多種類の高さ調整の機能を具備し、異なる頭、頸部の形状により異なる快適圧力釈放曲線を形成して人体頭、頸部の曲線工学に符合し、頸椎支持が高過ぎる或いは低過ぎることにより形成される頸椎損傷を防止できるよう形成されたことを特徴とする、組合せ式圧力釈放工学枕。
【請求項２】
請求項１記載の組合せ式圧力釈放工学枕において、枕本体の表面の二側に高い凸部と該高い凸部より低い低い凸部が設けられ、高い凸部と低い凸部の間が凹部で連接され、高い凸部、低い凸部、凹部上に複数の凹溝と太さの異なる凸條が設けられたことを特徴とする、組合せ式圧力釈放工学枕。
【請求項３】
請求項１記載の組合せ式圧力釈放工学枕において、挿入溝が各種形状に形成可能とされたことを特徴とする、組合せ式圧力釈放工学枕。
【請求項４】
請求項１記載の組合せ式圧力釈放工学枕において、挿入部品が各種形状に形成可能とされたことを特徴とする、組合せ式圧力釈放工学枕。
【請求項５】
請求項１記載の組合せ式圧力釈放工学枕において、挿入部品が各種材料で形成可能とされたことを特徴とする、組合せ式圧力釈放工学枕。
【請求項６】
請求項１記載の組合せ式圧力釈放工学枕において、枕本体の表面に軟性パッドが敷設され、該軟性パッド内に水晶、瑪瑙、玉石、磁石などの鉱石が設けられたことを特徴とする、組合せ式圧力釈放工学枕。
【考案の詳細な説明】
【技術分野】
【０００１】
本考案は組合せ式圧力釈放工学枕に係り、特に、高い凸部、低い凸部を有する枕本体に挿着溝が設けられ、それに挿着部品が組み合わされて分解組合せ自在な構造が構成され、挿着溝と挿着部品が相互に組み合わされるか分離されて、異なる頭、頸部サイズの使用者（例えば、男性、女性、太った人、痩せた人の頭、頸部のサイズは異なる）の使用に供され、並びに異なる頭、頸部の形状に対して異なる快適圧力釈放曲線を形成し、頸椎支持が高過ぎるか低過ぎることにより形成される頸椎傷害を防止し、人体の頭、頸部工学に符合する支持効果を形成する組合せ式圧力釈放工学枕に関する。
【背景技術】
【０００２】
人生のほぼ３分の１の時間（一日の睡眠時間を８時間として計算）は枕と共にあり、良好な枕の構造は睡眠の品質を向上する。ゆえに人体工学に符合する枕は相当に重要であり、枕全体が軟質或いは硬質であると人体頭部を乗せる時、枕は頸椎を支持できなかったり或いは支持が高過ぎて頸椎の変形を形成し、また按摩の効果も提供できない。睡眠上の問題は頸椎のＣ１からＣ７（頸椎の第１から第７関節）により決定し、ゆえに枕の高さが快適であるか否かは睡眠品質に影響を与える。
【０００３】
現在ある業者は支持効果を有し頸椎変形を防止するいわゆる低反発枕を提供している。この低反発枕は構造上、表面に単調な曲線が設けられて人体の頭、頸部に密着し、支持の効果を達成するものである。しかし、この圧力釈放工学枕に設けられた曲線サイズ及び高さは固定されて不変であり、調整不能であり、且つ圧力釈放用の凹溝が設けられておらず、このため頭部が軽く、頸椎が細い使用者（例えば女性或いは痩せた人）が使用する場合、支持曲線の変形が比較的少なく（図１４参照）、頸椎部の支持が高過ぎることになり、頭部が後仰の姿勢となり、頸椎の凝りや痛みを形成する。また、頭部が重く、頸椎が太い使用者（例えば男性或いは太った人）が使用する場合、該支持曲線変形は大きく（図１５参照）、頸椎部の支持が低過ぎることになり、頭部が前傾の姿勢となり、即ち咽喉が内縮してつまる状態となり、頸椎神経が圧迫される。頭部の後仰或いは前傾のいずれも使用者に不適感をもたらす。これにより、従来のいわゆる低反発枕は人体の頭、頸部工学に符合せず、各個人に適用することはできず、ゆえに圧力釈放の機能を具備しない。
【０００４】
以上をまとめると、周知の低反発枕の構造は理想的でない。
【考案の開示】
【考案が解決しようとする課題】
【０００５】
本考案の目的は、多種類の高さに調整可能な組合せ式圧力釈放工学枕を提供することにある。それは構造上、表面に頭頸部工学に符合する曲線が設けられた枕本体を具え、枕本体の少なくとも一側に挿着溝が開設され、別に該挿着溝中に挿着されるか或いは枕本体下方に置かれる少なくとも一つの挿着部品が設けられている。使用時に使用者は頭、頸部のサイズにより枕本体の二側より選択して頭を乗せることができ、枕本体と挿着部品の組合せ及び分離自在な構造により、挿着溝と挿着部品が相互に組合せられるか或いは分離され、枕本体の二側に多種の高さ（少なくとも６種類）に調整できる機能が設けられ、異なる頭、頸部の形状により異なる快適圧力釈放曲線を形成できる。
【０００６】
本考案のもう一つの目的は、異なる人体の頭、頸部形状に対して異なる快適圧力釈放曲線を形成できる組合せ式圧力釈放工学枕を提供することにある。構造上は、表面の一側に高い凸部、もう一側に低い凸部が設けられ、高い凸部、低い凸部の間が凹部により連接され、高い凸部、低い凸部及び凹部の上面に複数の凹溝が設けられている。使用時に、使用者は頭、頸部のサイズにより高い凸部或いは低い凸部の上に頭、頸部を乗せることができ、これにより人体の頭、頸部の曲線工学に符合し、頸椎支持が高過ぎる或いは低過ぎることによる頸椎損傷を防止できる。凹溝は通風と変形圧力釈放機能を提供し、それは高い凸部、低い凸部の曲線に組み合わされて、異なる頭、頸部の形状に応じて異なる快適圧力釈放曲線を形成する。
【０００７】
本考案の更なる目的は、使用時に頭、頸部に対する按摩が行なえる組合せ式圧力釈放工学枕を提供することにある。それは構造上、枕本体の高い凸部、低い凸部、凹部に設けられた凸條が人体の頭、頸部を乗せる時に頸椎を支持し、按摩の機能を具備するものとされる。
【課題を解決するための手段】
【０００８】
請求項１の考案は、組合せ式圧力釈放工学枕において、
表面に頭、頸部工学に符合する曲線が設けられ、少なくとも一側に挿着溝が設けられた枕本体と、
該装着溝中に収容されるか枕本体の下方に置かれる少なくとも一つの挿着部品と、
を具え、使用時に使用者が頭、頸部のサイズに応じて頭、頸部を枕本体の二側の上に乗せることができ、枕本体の挿着溝と挿着部品の分解組合せ可能な構造を利用し、枕本体の二側が多種類の高さ調整の機能を具備し、異なる頭、頸部の形状により異なる快適圧力釈放曲線を形成して人体頭、頸部の曲線工学に符合し、頸椎支持が高過ぎる或いは低過ぎることにより形成される頸椎損傷を防止できるよう形成されたことを特徴とする、組合せ式圧力釈放工学枕としている。
請求項２の考案は、請求項１記載の組合せ式圧力釈放工学枕において、枕本体の表面の二側に高い凸部と該高い凸部より低い低い凸部が設けられ、高い凸部と低い凸部の間が凹部で連接され、高い凸部、低い凸部、凹部上に複数の凹溝と太さの異なる凸條が設けられたことを特徴とする、組合せ式圧力釈放工学枕としている。
請求項３の考案は、請求項１記載の組合せ式圧力釈放工学枕において、挿入溝が各種形状に形成可能とされたことを特徴とする、組合せ式圧力釈放工学枕としている。
請求項４の考案は、請求項１記載の組合せ式圧力釈放工学枕において、挿入部品が各種形状に形成可能とされたことを特徴とする、組合せ式圧力釈放工学枕としている。
請求項５の考案は、請求項１記載の組合せ式圧力釈放工学枕において、挿入部品が各種材料で形成可能とされたことを特徴とする、組合せ式圧力釈放工学枕としている。
請求項６の考案は、請求項１記載の組合せ式圧力釈放工学枕において、枕本体の表面に軟性パッドが敷設され、該軟性パッド内に水晶、瑪瑙、玉石、磁石などの鉱石が設けられたことを特徴とする、組合せ式圧力釈放工学枕としている。
【考案の効果】
【０００９】
本考案は枕本体と少なくとも一つの挿着部品を具え、枕本体の表面に頭頸部工学に符合する曲線があり、少なくとも一側に挿着溝が開設され、該挿着部品は挿着溝中に挿着されるか枕本体下方に置かれる。使用時に使用者は、頭、頸部のサイズにより枕本体の二側上に頭を乗せることができる。枕本体の挿着溝への挿着部品の着脱自在な構造により、挿着溝と挿着部品を相互に組み合わせるか分離させることができ、枕本体の二側に多種類の高さ（少なくとも６種類）に調整可能な機能を具備させられ、全体として異なる頭、頸部の形状により異なる快適圧力釈放曲線を形成でき、人体の頭、頸部の曲線工学に符合し、頸椎の支持が高過ぎるか低過ぎることにより形成される頸椎傷害を防止できる。
【考案を実施するための最良の形態】
【００１０】
図１、２に示されるように、本考案は構造上、頸椎圧力釈放機能を具えた枕本体１０と、枕本体１０と組合せ、分解可能で枕本体１０の高さ調整に用いられる第１挿着部品２０、第２挿着部品３０、第３挿着部品４０を具えている。
【００１１】
該枕本体１０は形状記憶性フォームスポンジ、天然エマルジョン等の材料で形成され、製造時に材料中に香料（ラベンダー、バラ等のエッセンス）を添加して香りの効果を具備するものとされうる。全体の外部は更に枕カバーで被覆可能である。枕本体１０の表面には頭、頸部工学に符合する曲線が設けられ、この曲線エリアは三つの部分に分けられ、それは枕本体１０の表面の一側に設けられた高い凸部１１と、もう一側に設けられ高い凸部１１より低い低い凸部１２、及び高い凸部１１と低い凸部１２の間を連接する凹部１３である。そのうち、高い凸部１１は頸椎が太い使用者（例えば男性或いは太った人）の頭、頸部を乗せるのに供され、低い凸部１２は頸椎が細い使用者（例えば女性或いは痩せた人）の頭、頸部を乗せるのに供される。高い凸部１１、低い凸部１２、凹部１３の上面には複数の圧力釈放用の凹溝１４と太さの異なる凸條１４１が設けられ、図より各凹溝１４の深さは一様であり、高い凸部１１の凸條１４１は太く、低い凸部１２の凸條１４１は細く且つ３本が接続後に更に凹溝１４により隔てられ、こうして有効に異なる人の頭、頸部を支持し、凹部１３上の凸條１４１は頭蓋骨部分を乗せるのに供され、その受ける力の大きさは高い凸部１１、低い凸部１２の受ける力の間であり、ゆえに凹部１３上の凸條１４１の大きさは中間で、且つ２本が接続後に凹溝１４により隔てられている。枕本体１０の一側には第１挿着溝１５が、もう一側には第２挿着溝１６が開設され、それは各種形状に形成可能とされ、第１挿着部品２０、第２挿着部品３０の取付に供される。
【００１２】
第１挿着部品２０、第２挿着部品３０は枕本体１０の第１挿着溝１５、第２挿着溝１６より切り取られて枕本体１０と同じ材質とされるか、或いはその他の弾性材料或いは硬質材料が採用され、それぞれ第１挿着溝１５、第２挿着溝１６中に取付られる。第１挿着部品２０、第２挿着部品３０と第１挿着溝１５、第２挿着溝１６の組合せ形状は各種形状に形成可能である。
【００１３】
第３挿着部品４０は別に設けられるアクセサリであり、必要に応じて選択的に使用され、枕本体１０と同材質とされるか、或いは他の弾性材料或いは硬質材料が採用されて枕本体１０下方に置かれ得る。
【００１４】
図３に示されるように、本考案を使用する時、枕本体１０の高い凸部１１は頭部が重く、頸椎が太い使用者（例えば男性或いは太った人）の頭、頸部を乗せるのに供され、この時、低い凸部１２の第２挿着部品３０は高い凸部１１の下方に置かれ、高さが増され、凹部１３が頭蓋骨部分を乗せるのに供され、頸椎が乗せられる時に凹溝１４が通風と変形圧力釈放機能を提供し（高い凸部１１の曲線が変形するが周知の枕のように容易に陥没することがない）、それが高い凸部１１の曲線と組み合わされ、異なる頭、頸部の形状に応じて異なる快適圧力釈放曲線を形成し、全体として人体の頭、頸部の曲線工学に符合し、人体頭、頸部の形状、重量に応じて変形し圧力を釈放し、頸椎支持が低過ぎることによる頸椎損傷を防止する。凸條１４１は人体頭、頸部が乗せられる時に頸椎を支持及び保護し按摩の機能を有する。
【００１５】
図４に示されるように、本考案の枕本体１０の高い凸部１１を使用する時に、頸椎支持が高過ぎると感じられる時は、第１挿着部品２０が高い凸部１１の下方に置かれ、この時、もともと高い凸部１１の下方にあった第２挿着部品３０が取り出され、並びに低い凸部１２の第２挿着溝１６中に挿入されるか、或いは第１挿着部品２０が完全に取り出され（図５）、こうして支持の高さが調整される。即ち、第１挿着部品２０が完全に第１挿着溝１５中に挿入され且つ第２挿着部品３０が高い凸部１１の下方に置かれる時、高い凸部１１は最高状態となり、第１挿着部品２０が全て第１挿着溝１５中に挿入される時、高い凸部１１は中間の高さ状態となり、第１挿着部品２０が第１挿着溝１５より取り出されると、高い凸部１１は最低状態となる。当然使用者は個人の必要により第１挿着部品２０を第１挿着溝１５の任意の位置に挿入することができる。こうして使用者は使用時に弾性的に圧力釈放曲線を調整できる。
【００１６】
図６に示されるように、本考案を使用する時、枕本体１０の低い凸部１２を使用する時、頸椎支持が高過ぎると感じられる時は、第２挿着部品３０が低い凸部１２の下方に置かれ、この時、もともと低い凸部１２の下方にあった第１挿着部品２０が取り出され、並びに高い凸部１１の第１挿着溝１５中に戻されるか、或いは第２挿着部品３０が完全に取り出され（図８）、こうして支持の高さが調整される。即ち、第２挿着部品３０が完全に第２挿着溝１６中に挿入され且つ第１挿着部品２０が低い凸部１２の下方に置かれる時、低い凸部１２は最高状態となり、第２挿着部品３０が全て第２挿着溝１６中に挿入される時、低い凸部１２は中間の高さ状態となり、第２挿着部品３０が第２挿着溝１６より取り出されると、低い凸部１２は最低状態となる。当然使用者は個人の必要により第２挿着部品３０を第２挿着溝１６の任意の位置に挿入することができる。こうして使用者は使用時に弾性的に圧力釈放曲線を調整できる。
【００１７】
上述の第１、第２挿着部品２０、３０の表面には斜面があり、挿入端を第１、第２挿着溝１５、１６より容易に取り出せ、また容易に挿入でき、また第１、第２挿入溝１５、１６中で移動させられる。
【００１８】
上述の本考案の枕本体１０の高い凸部１１、低い凸部１２は第１、第２挿入溝１５、１６及び第１、第２挿入部品２０、３０の設置により、多種類の高さ（少なくとも６種類、各辺にそれぞれ三種類）の調整が行なえる機能を有する。
【００１９】
総合すると、本考案は調整構造と部品形状、材質の違いを利用して完全な快適圧力釈放効果を達成できる。
【００２０】
図９、１０に示されるように、本考案の枕本体１０の表面には軟性のパッド５０を敷設可能で、枕本体１０外部は枕カバーで被覆可能で、内蔵による美観効果を具備するものとされうる。上述のパッド５０中には水晶、瑪瑙、玉石、磁石等の鉱石５１を設置可能で、これにより人体頭、頸部を枕本体１０に乗せる時に良好な保健効果を有するものとされる。
【００２１】
図１１に示されるように、第３挿着部品４０は直接高い凸部１１の下方に設置可能であり（また直接低い凸部１２の下方に設置可能であるが図示されていない）、枕本体１０中の第１挿着部品２０、第２挿着部品３０は取り出さないものとされ得て、こうして枕に更に多種類の高さ変化を加えることができる。
【００２２】
図１２、１３に示されるように、本考案の第１挿着部品２０、第２挿着部品３０は各種形状に形成可能で（例えばその表面が波状或いは複数の凹凸歯状に形成されうる）、このほか、枕本体の第１挿着溝、第２挿着溝は第１挿着部品２０、第２挿着部品３０の外形に組み合わされ、異なる圧力釈放効果を構成する。第１挿着部品２０、第２挿着部品３０は異なる材料が採用されることでも異なる圧力効果を形成可能である。
【００２３】
総合すると、本考案の枕本体は異なる頭、頸部の形状に応じて異なる快適圧力釈放曲線を形成でき、特に支持高さを調整でき、頸椎支持が高過ぎる或いは低過ぎることによる傷害を防止でき、人体の頭、頸部工学に符合する支持効果を形成し、頸椎が細い、或いは太い使用者のいずれもが快適に使用できる。ゆえに本考案は周知の枕の欠点を解決し、その独自の特殊な機能を有しており、実用新案登録の要件に符合するものである。
【００２４】
以上の実施例は本考案の説明のために提示されたものであり、本考案の範囲を限定するものではなく、本考案に基づきなしうる各種の変更設計は、いずれも本考案の請求範囲に属するものとする。
【図面の簡単な説明】
【００２５】
【図１】本考案の立体分解図である。
【図２】本考案の組合せ断面図である。
【図３】本考案の枕本体の高い凸部が人体頭、頸部を乗せるのに供される時の側面使用状態図（一）である。
【図４】本考案の枕本体の高い凸部が人体頭、頸部を乗せるのに供される時の側面使用状態図（二）である。
【図５】本考案の枕本体の高い凸部が人体頭、頸部を乗せるのに供される時の側面使用状態図（三）である。
【図６】本考案の枕本体の低い凸部が人体頭、頸部を乗せるのに供される時の側面使用状態図（一）である。
【図７】本考案の枕本体の低い凸部が人体頭、頸部を乗せるのに供される時の側面使用状態図（二）である。
【図８】本考案の枕本体の低い凸部が人体頭、頸部を乗せるのに供される時の側面使用状態図（三）である。
【図９】本考案の軟性パッドを付加した立体分解図である。
【図１０】図９の構造の実施例であり、図中に枕本体外部を被覆する枕カバーが表示されている。
【図１１】本考案の第３挿入部品が枕本体の下方に置かれた実施例図である。
【図１２】本考案の第１挿入部品、第２挿入部品が各種形状に形成された実施例図である。
【図１３】本考案の第１挿入部品、第２挿入部品が各種形状に形成された実施例図である。
【図１４】周知の枕の使用状態表示図（一）である。
【図１５】周知の枕の使用状態表示図（二）である。
【符号の説明】
【００２６】
１０  枕本体                    １１  高い凸部
１２  低い凸部                  １３  凹部
１４  凹溝                      １４１  凸條
１５  第１挿着溝                １６  第２挿着溝
２０  第１挿着部品              ３０  第２挿着部品
４０  第３挿着部品              ５０  パッド
５１  鉱石
【図１】
0003108760.tif 000003
【図２】
0003108760.tif 000004
【図３】
0003108760.tif 000005
【図４】
0003108760.tif 000006
【図５】
0003108760.tif 000007
【図６】
0003108760.tif 000008
【図７】
0003108760.tif 000009
【図８】
0003108760.tif 000010
【図９】
0003108760.tif 000011
【図１０】
0003108760.tif 000012
【図１１】
0003108760.tif 000013
【図１２】
0003108760.tif 000014
【図１３】
0003108760.tif 000015
【図１４】
0003108760.tif 000016
【図１５】
0003108760.tif 000017